(57)【要約】      （修正有）【課題】輸送等において、シェルパックに収納した内容物が回転することにより、所定の表示事項が展示時に確認できない等の問題点が発生しないシェルパックの提供である。【解決手段】一対のシェルパックの間に内容物を収納した状態で前記一対のシェルパックに収納物訴求表示部が連接するシェルパック本体１において、内容物を収納する収納部２の内側に突起部３を備え、収納した内容物を固定することにより回転防止が可能としたことを特徴とする。【選択図】図１
2006282260.tif 000002
【特許請求の範囲】
【請求項１】
一対のシェルパックの間に内容物を収納した状態で前記一対のシェルパックに収納物訴求表示部が連接するシェルパック本体において、収納される内容物が回転することを防止する機構を有することを特徴とするシェルパック。
【請求項２】
内容物を収納する収納部の内側に突起部を備えた前記回転防止機構を施したことを特徴とする請求項１記載のシェルパック。
【請求項３】
前記回転防止機構である収納部の内側の突起部の形状が、凸状であり、収納部の内側に１箇所以上備えてなることを特徴とする請求項１又は請求項２記載のシェルパック。
【発明の詳細な説明】
【技術分野】
【０００１】
本発明は、シェルパックに関し、更に詳しくは、化粧料等を収納し、店頭に展示する商品パッケージ用のシェルパック関する。
【背景技術】
【０００２】
文房具類、電池類、及び化粧品等の小物製品は、見栄えの良い商品として、また、取扱や保管し易い商品として取り扱うため、商品パッケージ化して市場に流通している。即ち、収納した製品を透視できるように収納装着し、製品自体の保護を図る一方、吊り下げ展示において、商品の見栄えをよくする手法が一般的に採用されている。
【０００３】
また、化粧業界においては、近年、収納化粧料の容器の形態の多様性に伴い、収納部分の形状に種々の形態をしたシェルパックが見られるようになった。そして、シェルパックの機能においても、吊り下げ展示と棚置き展示の両方が可能なタイプの提案（特開２００３−７２７４３号公報）や開封後、収納されていた製品を再収納することを可能としたしタイプ（特開２００４−５１１３３号公報）などが提案されている。
【０００４】
しかしながら、上記のタイプのシェルパックでは、収納される内容物の形状により、生産して店頭に展示される過程において、内容物がシェルパック内部で回転し、製品に記載されている所定の表示事項が展示時に確認できない問題が発生する。例えば、円柱状や球体をした内容物は回転し易い。
【０００５】
そして、前述したように化粧品において、展示または販売時に所定の表示事項が確認でいない場合は、薬事法の違反となるため、輸送等において、収納された製品が生産した状態（所定の表示が確認できる状態）のままで店頭に届けられないと販売できないため、製品価値を損なうという問題点が発生している。
【特許文献１】特開２００３−７２７４３号公報
【特許文献２】特開２００４−５１１３３号公報
【発明の開示】
【発明が解決しようとする課題】
【０００６】
解決しようとする課題は、輸送等において、シェルパックに収納した内容物が回転することにより、所定の表示事項が展示時に確認できない等の問題点が発生しないシェルパックの提供である。
【課題を解決するための手段】
【０００７】
上記課題を解決するため、発明者は鋭意検討を重ねた結果、シェルパックの内容物を収納する収納部の内面に突起部を設けることにより、収納した内容物を固定し、内容物の回転を防止することを見出し、本発明を完成するに至った。
【０００８】
即ち、本発明のシェルパックは、一対のシェルパックの間に内容物を収納した状態で前記一対のシェルパックに収納物訴求表示部が連接するシェルパック本体において、内容物を収納する収納部の内側に突起部を備え、収納した内容物を固定することにより回転を防止したものである。
【発明の効果】
【０００９】
本発明のシェルパックは、収納する内容物の輸送等における物理的な振動等で発生する内容物の回転等を防止できるため、内容物が化粧品の場合、所定の表示事項が展示時に確認できない等の問題点が発生しないため、商品価値を損なうことなく商品の販売が可能となる。
【発明を実施するための最良の形態】
【００１０】
本発明のシェルパックは、内容物を収納する収納部に突起部が成型可能で、しかも、内容物の回転の回転を防止する効果が妨げられない範囲であれば特に制限はないが、成形性に優れた樹脂化合物が好ましく、中でも、ポリエチレン（ＰＥ）やポリエチレンテレフタレート（ＰＥＴ）、塩化ビニルが好ましい。
【００１１】
本発明のシェルパックの内容物を収納する収納部の内部に備えられた凸状突起部の形状は、内容物の回転の回転を防止する効果が妨げられない範囲であれば特に制限はないが、内容物が円柱状の場合は、長方体のリブ形状が好ましく、球状の場合は、正方体及び半球状体が好ましい。また、収納する内容物の形状により当該突起部の形状を変化させ、固定に適した形状にすることも可能である。そして、当該突起部の数量について、内容物が固定できれば特に制限は無く、１箇所以上あればよく、内容物が円柱状の場合は、３箇所以上が更に好ましく、当該突起部の大きさも内容物が固定できれば特に制限は無い。
【実施例】
【００１２】
以下、実施例を挙げて本発明を具体的に説明する。なお、本発明はこれに限定されるものではない。
【００１３】
図１には、本発明のシェルパックの展開図（平面）を示す。
【００１４】
図２には、本発明のシェルパックの展開図（側面）を示す。
【００１５】
図３には、本発明のシェルパックを組立てた状態の正面図を示す。
【００１６】
図４には、本発明のシェルパックを組立てた状態の側面図を示す。
【００１７】
図５には、本発明のシェルパックの収納部に内容物を収納した状態を示す。（収納部の内面の状態。）
【００１８】
本発明のシェルパックは、図１に示すとおり、シェルパック１において内容物を収納する収納部２、組立て時にシェルパック１を係合すると共に商品訴求表示をする台紙を固定する系止部４、内容物を収納する収納部２及び収納部２の内側に設けられた突起部３からなる。
【００１９】
本発明のシェルパックを使用し、内容物５を固定する方法は、まず、シェルパック１の収納部２に内容物5を設置し、折り曲げ線ａ及びｂを収納部２を囲むようにして、内側に折り、内容物を収納部２の内側に設けられた突起部３で固定する。そして商品訴求表示をする台紙をシェルパック１上部の設置し、シェルパック１に設けられた系止部４にて固定する。
【００２０】
上記のようにして組立てた本発明のシェルパックによれば、収納された内容物5は当該シェルパックの収納部２の内側に設けられた突起部３により、しっかりと固定され、輸送時等の振動により内容物２が、当該シェルパックの収納部２内にて回転することが防止される。
【００２１】
また、本発明のシェルパックは、内容物５を収納する収納部２が中央部に位置し、組立て終了後、商品パッケージ化した状態において、収納部２の底面が平坦な状態になるため、棚置きした場合においても、シェルパック本体が前方又は後方に傾くことなく安定状態で静置可能であり、内容物５に記載されている所定の表示事項も見やすく、商品訴求を表示した台紙についても見やすい。そして、シェルパック本体や取り付け可能な台紙に吊り下げ用の穴を設けることにより、吊り下げタイプとしての機能を有することは勿論である。
【産業上の利用可能性】
【００２２】
本発明のシェルパックは、収納する内容物の輸送等における物理的な振動等で発生する内容物の回転等を防止できるため、内容物の破損防止、及び内容物が化粧品の場合、所定の表示事項が展示時に確認できない等の問題点が発生しないため、化粧品用途の他衝撃に弱い小物製品に広く応用が期待できる。
【図面の簡単な説明】
【００２３】
【図１】本発明のシェルパックの平面展開図。
【図２】本発明のシェルパックの側面展開図。
【図３】本発明のシェルパックを組立てた状態の正面図。
【図４】本発明のシェルパックを組立てた状態の側面図。
【図５】本発明のシェルパックの収納部に内容物を収納した状態を示した図。
【符号の説明】
【００２４】
１        シェルパック本体
２        収納部
３        突起部
４        系止部
５        内容物
ａ，ｂ    折り曲げ線
【図５】
2006282260.tif 000003
【図１】
2006282260.tif 000004
【図２】
2006282260.tif 000005
【図３】
2006282260.tif 000006
【図４】
2006282260.tif 000007